(57)【要約】【課題】光ディスクと対物レンズ駆動装置とのあらゆる位置関係において、対物レンズと光ディスクとの衝突を防止し、記録・再生の信頼性の低下を防ぐ。【解決手段】レンズホルダ２は、光ディスク２１に対向する面側に一体に形成された突起部１０ａ〜１０ｄを有している。これら突起部１０ａ〜１０ｄは、光ディスク２１の円周方向で対物レンズ１に重なる位置、及び光ディスク２１の半径方向で対物レンズ１に重なる位置に複数設けられる。そしてこれら突起部１０ａ〜１０ｄの光ディスク２１に対向する面にコーティング層１１が形成される。さらに突起部１０ａ，１０ｂは、対物レンズ１によって集光した光ビームが光ディスク２１の最外周部を照射するときに、光ディスク２１のエッジよりも該光ディスク２１の中心側に位置する。【選択図】図１
2006331515.tif 000002
【特許請求の範囲】
【請求項１】
対物レンズと、該対物レンズを保持するレンズホルダと、該レンズホルダに固着されたフォーカスコイルと、該フォーカスコイルに備え付けられたトラッキングコイルと、前記フォーカスコイル及び前記トラッキングコイルに対して磁界が作用するように設けられたマグネットと、前記レンズホルダを変位可能に支持する弾性支持部材とを有し、前記対物レンズによって集光した光ビームを光ディスクの記録面上で走査できるように集光点の位置を補正する対物レンズ駆動装置において、前記レンズホルダは、前記光ディスクに対向する面側に一体に形成された突起部を有し、該突起部は、前記対物レンズの周囲に複数設けられ、該複数の突起部は、前記光ディスクの円周方向で前記対物レンズに重なる位置、及び前記光ディスクの半径方向で前記対物レンズに重なる位置にそれぞれ設けられ、前記突起部の前記光ディスクに対向する面に保護膜が形成されていることを特徴とする対物レンズ駆動装置。
【請求項２】
請求項１に記載の対物レンズ駆動装置において、前記突起部のうち、前記光ディスクの円周方向で前記対物レンズに重なる位置に設けられた突起部は、前記対物レンズによって集光した光ビームが前記光ディスクの最外周部を照射するときに、前記光ディスクのエッジよりも該光ディスクの中心側に位置することを特徴とする対物レンズ駆動装置。
【請求項３】
請求項１または２に記載の対物レンズ駆動装置において、前記保護膜は、光ディスクよりも柔らかい材料によって形成されていることを特徴とする対物レンズ駆動装置。
【請求項４】
請求項１ないし３のいずれか１に記載の対物レンズ駆動装置において、前記保護膜の端縁部が湾曲形状に形成されていることを特徴とする対物レンズ駆動装置。
【請求項５】
請求項１ないし４のいずれか１に記載の対物レンズ駆動装置において、前記光ディスクの円周方向で前記対物レンズに重なる位置に設けられる突起部は、前記対物レンズを挟んで両側の２カ所に設けられ、前記光ディスクの半径方向で前記対物レンズに重なる位置に設けられる突起部は、前記半径方向で前記対物レンズの外側に１カ所設けられていることを特徴とする対物レンズ駆動装置。
【請求項６】
請求項１ないし５のいずれか１に記載の対物レンズ駆動装置において、前記光ディスクの円周方向で前記対物レンズに重なる位置に設けられる突起部の重量と、前記光ディスクの半径方向で前記対物レンズに重なる位置に設けられる突起部の重量とが同一となるように構成されていることを特徴とする対物レンズ駆動装置。
【請求項７】
請求項１ないし６のいずれか１に記載の対物レンズ駆動装置を備える情報記録再生装置。
【発明の詳細な説明】
【技術分野】
【０００１】
本発明は、対物レンズを介して光ビームを記録媒体に集光することによって、情報を光学的に記録、再生、消去することができる情報記録再生装置用の対物レンズ駆動装置、及びその情報記録再生装置に関するものである。
【背景技術】
【０００２】
光ディスクを記録媒体として使用する情報記録再生装置には、対物レンズの焦点位置を補正するための対物レンズ駆動装置が含まれている。この対物レンズ駆動装置は、対物レンズによって集光された光ビームの微小な集光点を光ディスクの記録面に正確に走査させることができるように、集光点の位置を補正する。
【０００３】
対物レンズ駆動装置は、対物レンズを保持するためのレンズホルダ、集光された光ビームの光軸方向（以下、「フォーカス方向」という）にレンズホルダを駆動するためのフォーカスコイル、及び光ディスクの半径方向（以下、「トラッキング方向」という）にレンズホルダを駆動するためのトラッキングコイルを含んでいる。そしてそれぞれのコイルに対向する位置にマグネットを配置して、マグネットから発生した磁界を各コイルに作用させる。
上記の対物レンズ、レンズホルダ、フォーカスコイル、及びトラッキングコイルは、ママグネットに対して相対的に変位する可動部を構成し、この可動部は、フォーカス方向及びトラッキング方向に変位可能なように弾性支持部材で支持されている。
【０００４】
以上のような構成の対物レンズ駆動装置の動作について説明する。可動部をフォーカス方向へ駆動する際は、フォーカスコイルに電流を供給することで、フレミングの左手の法則の作用により可動部がフォーカス方向に駆動される。また可動部をトラッキング方向へ駆動する際は、トラッキングコイルに電流を供給することで、マグネットから発生する磁界によってフレミングの左手の法則の作用により可動部がトラッキング方向に駆動される。
【０００５】
ここで、対物レンズを含む可動部がフォーカス方向へ駆動されることによって、光ディスクの記録面に集光点を一致させるためのフォーカス補正が行われ、また、対物レンズがトラッキング方向へ駆動されることによって、光ディスクの記録面のトラックに集光点を追従させるためのトラッキング補正が行われる。
【０００６】
最近では、記録密度の向上に伴い、集光点をより微小にするため、対物レンズの開口率（ＮＡ）が大きくなっている。ゆえに、対物レンズから光ディスク下面までの距離（ワーキングディスタンス）が従来のものと比較して極端に短くなっている。そのため、外乱などの影響によりサーボが外れ、対物レンズと光ディスクが衝突する可能性が増大している。また光ディスクの保護層においても、記録密度の高密度化に伴ってその厚みが薄くなっており、対物レンズと衝突することで傷ついたり、信号品質の劣化を起こしたりする恐れがある。
【０００７】
特許文献１には、上記のような対物レンズと光ディスクの衝突を防止して光ディスクの記録層の損傷を防止できるようにした光学ピックアップ装置及びディスクドライブ装置が開示されている。図９は、特許文献１に示された対物レンズを保持するレンズホルダを示す図で、図中、１は対物レンズ、２はレンズホルダ、１１はコーティング層である。
【０００８】
図９に示すように、特許文献１においては、レンズホルダ２の光ディスクに対向する面に、対物レンズ１より光ディスク側に突出して形成されたコーティング層１１が設けられている。このコーティング層１１は、光ディスクより柔らかくかつ滑り性が良好である材料で形成されている。このような構成により、光ディスクと対物レンズ１の衝突を回避することができ、また、コーティング層１１が柔らかい材料で形成されているため、光ディスクの損傷を抑えることができる。
【０００９】
図１０は、上記特許文献１に示されたレンズホルダの他の構成例を示す図である。図１０の例では、コーティング層１１を一部切り欠いて段差面１１ａ，１１ｂを形成している。この切り欠きは、光ディスクの回転方向Ｍに対して対物レンズ１の上流側及び下流側に設けられ、それぞれ上流側の段差面１１ａと、下流側の段差面１１ｂとが形成されている。また上記切り欠きを対物レンズ１の上記上流側のみに設けた構成も開示されている。
【００１０】
上記図１０のような構成をとることにより、光ディスクがコーティング層１１と接触したときに、その接触によって生じた光ディスクやコーティング層の削れかすやゴミが、上流側から下流側に吹き飛ばされて、対物レンズ１の上面に付着することを防止することができ、これにより安定した信号の記録・再生が可能となる。
【特許文献１】特開２００２−２２２５３５号公報
【発明の開示】
【発明が解決しようとする課題】
【００１１】
光ディスクに対する信号の記録・再生は、光ディスクの全記録エリアに渡って行われる。このため、対物レンズ駆動装置を搭載する光ピックアップが光ディスクの最内周位置から最外周位置まで移動する際に、光ディスクと対物レンズ駆動装置とのあらゆる位置関係において、対物レンズと光ディスクの接触を防止する必要がある。
【００１２】
なかでも対物レンズ駆動装置が光ディスクの最外周部分に位置したとき（すなわち対物レンズにより集光される光ビームが光ディスクの最外周部に照射されるとき）に、対物レンズと光ディスクが接触しないようにするためには、トラッキング方向だけでなく、光ディスクの円周方向（タンジェンシャル方向）においても、対物レンズよりも光ディスク側に突出した突起部を有する構成が必要である。またサーボ外れ等の原因により光ディスクと上記突起部が衝突した際に、光ディスクの損傷を最小限にするために、光ディスクよりも柔らかい材料で突起部を形成するかもしくは、光ディスクより柔らかい材料でコーティング層を塗布する等の構成が必要である。
【００１３】
図１１及び図１２は、対物レンズ駆動装置が光ディスクの最外周部周辺に位置したときの状態を説明するための図で、図１１は、対物レンズと光ディスクとの位置関係を模式的に示す上面図、図１２は、対物レンズと光ディスクとが互いに接近したときの位置関係を模式的に示す側断面図である。図１１及び図１２において、２１は光ディスクで、その他上述の図９及び図１０と同一の要素には同じ符号が付してある。
【００１４】
上記図１０に示す特許文献１の構成では、コーティング層１１の切り欠きが光ディスクの回転方向Ｍに設けられている。すなわち上記切り欠きは、光ディスク回転方向Ｍで対物レンズ１に重なる位置に設けられている。このため、コーティング層１１が光ディスクと接触した場合でも、切り欠いた部分の段差面１１ａ，１１ｂが光ディスクに直接接触することはない。
【００１５】
しかしながら、図１１に示すように、光ディスク２１の最外周部に対物レンズ１が位置しているときに、サーボ外れ等の影響により光ディスク２１と対物レンズ１とが互いに接近すると、まず対物レンズ駆動装置のレンズホルダ２に設けられたコーティング層１１が、最初に光ディスクに接触する。そしてその後、図１２に示すように、可動部に働くフォーカス方向の力の影響により、コーティング層１１を切り欠いた部分の段差面１１ａ，１１ｂと光ディスク２１のエッジ部とが接触することになる。そしてこのような現象により、段差面１１ａ，１１ｂにおいて、光ディスク２１よりも柔らかい材料であるコーティング層１１の表面が削りとられてしまう。
【００１６】
このときに、光ディスク２１の回転方向Ｍに対して対物レンズ１の上流側に位置するコーティング層１１でその表面の削れが発生すれば、削れた部分の下流側に位置する対物レンズ１の上面に、その削れかすが付着する恐れが生じる。そして対物レンズ１に付着した削れかすによってレーザ光が遮蔽され、安定した記録・再生を行うことができなくなるという問題が生じる。
【００１７】
また上記特許文献１には、対物レンズの上流側にコーティング層を有しない構成も開示されているが、その場合においても、レンズホルダの部材が光ディスクによって削り取られれば、その削れかすが対物レンズの上面に付着し、同様に安定した記録・再生を行うことができなくなる。あるいはこのときに光ディスク自体が損傷し、記録データが破壊される恐れもある。
【００１８】
本発明は、上記の問題点を解決するためになされたものであり、光ディスクと対物レンズ駆動装置とのあらゆる位置関係において、対物レンズと光ディスクとの衝突を防止することができ、かつコーティング層の削れかす等の影響による記録・再生の信頼性の低下を防ぐことができるようにした対物レンズ駆動装置を提供することを目的とするものである。
【課題を解決するための手段】
【００１９】
上記課題を解決するために、第１の技術手段は、対物レンズと、対物レンズを保持するレンズホルダと、レンズホルダに固着されたフォーカスコイルと、フォーカスコイルに備え付けられたトラッキングコイルと、フォーカスコイル及びトラッキングコイルに対して磁界が作用するように設けられたマグネットと、レンズホルダを変位可能に支持する弾性支持部材とを有し、対物レンズによって集光した光ビームを光ディスクの記録面上で走査できるように集光点の位置を補正する対物レンズ駆動装置において、レンズホルダは、光ディスクに対向する面側に一体に形成された突起部を有し、突起部は、対物レンズの周囲に複数設けられ、複数の突起部は、光ディスクの円周方向で対物レンズに重なる位置、及び光ディスクの半径方向で対物レンズに重なる位置に設けられ、突起部の光ディスクに対向する面に保護膜が形成されていることを特徴としたものである。
【００２０】
第２の技術手段は、第１の技術手段において、上記の突起部のうち、光ディスクの円周方向で対物レンズに重なる位置に設けられた突起部は、対物レンズによって集光した光ビームが光ディスクの最外周部を照射するときに、光ディスクのエッジよりも光ディスクの中心側に位置することを特徴としたものである。
【００２１】
第３の技術手段は、第１または第２の技術手段において、上記の保護膜が、光ディスクよりも柔らかい材料によって形成されていることを特徴としたものである。
【００２２】
第４の技術手段は、第１ないし第３のいずれか１の技術手段において、保護膜の端縁部が湾曲形状に形成されていることを特徴としたものである。
【００２３】
第５の技術手段は、第１ないし第４のいずれか１の技術手段において、光ディスクの円周方向で対物レンズに重なる位置に設けられる突起部が、対物レンズを挟んで両側の２カ所に設けられ、光ディスクの半径方向で対物レンズに重なる位置に設けられる突起部は、半径方向で対物レンズの外側に１カ所設けられていることを特徴としたものである。
【００２４】
第６の技術手段は、第１ないし第５のいずれか１の技術手段において、光ディスクの円周方向で対物レンズに重なる位置に設けられる突起部の重量と、光ディスクの半径方向で対物レンズに重なる位置に設けられる突起部の重量とが同一となるように構成されていることを特徴としたものである。
【００２５】
第７の技術手段は、第１ないし第６のいずれか１の技術手段における対物レンズ駆動装置を備える情報記録再生装置である。
【発明の効果】
【００２６】
本発明の対物レンズ駆動装置によれば、光ディスクと対物レンズ駆動装置とのあらゆる位置関係において、対物レンズと光ディスクとの衝突を防止することができ、かつコーティング層の削れかす等の影響による記録・再生の信頼性の低下を防ぐことができる。
【００２７】
すなわち、本発明によれば、光ディスクの円周方向で対物レンズに重なる位置、及び光ディスクの半径方向で対物レンズに重なる位置にレンズホルダの突起部を設けることにより、対物レンズ駆動装置が光ディスクの最外周部分に位置した場合においても、ディスクエッジ部分と保護膜及びレンズホルダ部材とが接触することがないため、保護膜、及びレンズホルダ部材が削り取られることがない。これにより、対物レンズ上面に削れかすが付着する恐れがないため、レーザ光が遮蔽されることなく、安定した記録・再生を行うことができる。
【００２８】
またレンズホルダに設けた突起部に塗布する保護膜を、光ディスクよりも柔らかい材料によって形成することにより、光ディスクと保護膜が接触した場合にも、光ディスクの損傷を最小限に抑えることができる。
【００２９】
またレンズホルダの突起部に設けた保護膜の端縁部を緩やかな湾曲形状に構成することにより、対物レンズ駆動装置の傾き等による影響で保護膜端部が接触した場合であっても、光ディスクの損傷を小さくすることができる。
【００３０】
また上記光ディスクの半径方向で対物レンズに重なる位置に設ける突起部が、光ディスクの半径方向で対物レンズの外側に１カ所設けられることにより、対物レンズの内側には突起部が形成されていないため、対物レンズ駆動装置の周波数特性評価を簡便かつ高精度に実行することができる。すなわち、上記突起部の構成により、対物レンズの測定ポイントに向かって測定用のレーザを直接照射することができ、これにより対物レンズの動き、すなわち光軸の動きを直接観察することが可能となる。これにより、トラッキング方向の周波数特性評価を高精度かつ簡便に実施できるようになる。
【００３１】
また上記の光ディスクの円周方向で対物レンズに重なる位置に設けられる突起部の重量と、光ディスクの半径方向で対物レンズに重なる位置に設けられる突起部の重量とが同一となるように構成することにより、対物レンズ駆動装置の可動部の重心位置を、可動部の中心位置と一致させることができ、重量バランスが良好な構成をとることができるため、発振の原因となる位相の乱れを抑制し、安定した周波数特性を実現することができる。
【００３２】
また本発明の対物レンズ駆動装置を搭載する情報記録再生装置によれば、光ディスク、及び保護膜の損傷を最小限に抑えることができ、光ディスクの全記録エリアにおいて、安定した記録・再生を可能な情報記録再生装置を提供することができる。
【発明を実施するための最良の形態】
【００３３】
以下に本発明による対物レンズ駆動装置の実施形態を、添付された図面を参照しながら具体的に説明する。なお、実施形態を説明するための全図において、同様の機能を有する部分には同じ符号を付け、その繰り返しの説明は省略する。
【００３４】
（実施形態１）
図１は、本発明の対物レンズ駆動装置の一実施形態を示す平面概略図、図２は、図１の対物レンズ駆動装置を光ディスクとともに示す側面概略図である。
本実施形態における対物レンズ駆動装置は、光を集束させるための対物レンズ１が、レンズホルダ２の上面に保持されている。そしてレンズホルダ２の側面には、フォーカスコイル３、及びトラッキングスコイル４が配置されている。またレンズホルダ２は、フォーカス方向Ｆ、及びトラッキング方向Ｔに移動可能なように弾性支持部材５で支持されている。
【００３５】
弾性支持部材５は、それぞれのコイル（上記フォーカスコイル３，トラッキングコイル４）に電流を供給する給電部材も兼用している。これら、対物レンズ１、レンズホルダ２、フォーカスコイル３、及びトラッキングコイル４によって可動部が構成されている。またフォーカスコイル３、及びトラッキングコイル４が対向する位置にマグネット６が配置され、このマグネット６がベース７から立設されたヨーク８に固着されている。
【００３６】
レンズホルダ２の対物レンズ１の周囲には、突起部１０ａ，１０ｂ，１０ｃ，１０ｄが
が設けられている。これらのうち突起部１０ａ，１０ｂは、タンジェンシャル方向Ｇで対物レンズ１を挟むように（すなわちタンジェンシャル方向Ｇで対物レンズ１に重なるように）、該対物レンズ１の両側に配設される。また突起部１０ｃ，１０ｄはトラッキング方向Ｔで対物レンズ１を挟むように（すなわちトラッキング方向Ｔで対物レンズ１に重なるように）、該対物レンズ１の両側に配設されている。
【００３７】
図１に示すように、タンジェンシャル方向Ｇに配設された突起部１０ａ，１０ｂは、対物レンズ駆動装置が光ディスク２１の最外周部分に位置した際、すなわち対物レンズ１によって集光した光ビームが光ディスク２１の最外周部を照射する際に、光ディスク２１のエッジ部よりも距離ａだけディスク中心ｏ側に位置するように配設されている。
これら突起部１０ａ，１０ｂの上面には、光ディスク２１よりも柔らかい材料による保護膜としてコーティング層１１が塗布成形されている。そしてコーティング層１１の上面は、対物レンズ１の上面よりも上方に突出した状態になるように構成されている。
【００３８】
上記のような構成の対物レンズ駆動装置の動作について説明する。まず対物レンズ１を含む可動部をフォーカス方向Ｆに駆動する際には、フォーカスコイル３に電流を供給し、マグネット６の磁界作用により、可動部のレンズホルダ２をフォーカス方向Ｆに変位させる。同様に、可動部をトラッキング方向Ｔに駆動する際には、トラッキングコイル４に電流を供給し、マグネット６の磁界作用により、可動部のレンズホルダ２をトラッキング方向Ｔに変位させる。このようなフォーカス方向Ｆ、及びトラッキング方向Ｔに可動部を変位させる動作により、光ディスクの記録面上のトラックに光ビームの集光点を一致させる補正動作を行っている。
【００３９】
最近では、記録容量を増加させるために、光ビームの集光点をより微小にすることが必要となってきている。そのため、対物レンズ１のＮＡを大きくすることで、集光点を絞って微小にしている。これに伴い、対物レンズ１と光ディスク２１とのクリアランスも狭くなり、接触の可能性が増大している。
【００４０】
しかし、対物レンズ１の上面よりも光ディスク２１側に、突起部１０ａ〜１０ｄに形成したコーティング層１１の上面が位置するように構成され、かつコーティング層１１を光ディスク２１より柔らかい材料で形成することにより、外乱等によるサーボ外れ等が生じた際においても、コーティング層１１が光ディスク２１に接触して対物レンズ１と光ディスクとが衝突することを防止することができ、光ディスク２１の損傷を最小限に抑えることが可能である。
【００４１】
上記図９ないし図１２で説明したように、上記特許文献１の対物レンズ駆動装置は、対物レンズ１の周縁を囲うようにコーティング層１１が形成され、その一実施形態においては、コーティング層１１の一部に切り欠きによる段差面１１ａ，１１ｂが形成されている。そしてこの切り欠きは、光ディスクの回転方向Ｍに対して対物レンズ１の上流側及び下流側、または上流側のみに設けられている。このような構成をとることにより、光ディスク２１とコーティング層１１との接触等により発生するコーティング層１１等の削れかすやゴミが、上流側から下流側に吹き飛ばされて、対物レンズ１の上面に付着することを防止している。
【００４２】
光ディスク２１とコーティング層１１が接触することで、コーティング層１１が削れやすくなるときの位置関係は、上述したように対物レンズ駆動装置が光ディスク２１の最外周部に位置したときである。このような位置関係で、サーボ外れ等の原因により光ディスク２１に対物レンズ１が接近すると、図１２のように光ディスク２１のエッジ部とコーティング層の段差面１１ａ，１１ｂとが接触し、段差面部分のコーティング層１１を削り取ってしまうことになる。
【００４３】
この場合、上記のような削れ現象は、光ディスク２１側ではなく、光ディスク２１よりも柔らかい材料を用いているコーティング層１１側で発生する。そのため、光ディスク２１の回転方向Ｒに対して、対物レンズ１の上流側でコーティング層１１が削られることによって発生する削れかすが、その下流側に位置する対物レンズ１の上面に付着し、これによりレーザ光が遮蔽されて、安定した記録・再生を行うことができなくなる恐れが生じる。
【００４４】
また、上記特許文献１の他の実施例に記載されているように、対物レンズの上流側にコーティング層１１を有しない構成では、コーティング層の削れかすが発生することはないが、光ディスクに接触するレンズホルダの部材の削れが発生し、同様に対物レンズ１の上面に削れかすが付着することになるか、もしくはレンズホルダ２の部材が固い材料であれば光ディスク２１自体が損傷する恐れが生じる。
【００４５】
これに対して本実施形態においては、対物レンズ駆動装置が光ディスク２１の最外周部に位置したとき（すなわち対物レンズ１によって集光した光ビームが光ディスク２１の最外周部を照射するとき）においても、タンジェンシャル方向Ｇに対物レンズ１を挟んで設けられた突起部１０ａ，１０ｂによって、光ディスク２１のエッジ部と、コーティング層１１が直接接触することがない。
【００４６】
図３は、本発明の一実施形態において対物レンズと光ディスクとが互いに接近したときの位置関係を模式的に示す側断面図である。上述したように本実施形態では、タンジェンシャル方向Ｇに対物レンズを挟んで設けられた突起部１０ａ，１０ｂは、光ディスク２１のエッジ部よりも光ディスク中心ｏ側に常に位置するように構成されている。このような構成で上記突起部１０ａ，１０ｂと光ディスク２１とが接触した場合、図３に示すように、突起部１０ａ，１０ｂの上面に設けられたコーティング層１１は、光ディスク２１のエッジ部に直接接触することはない。
【００４７】
光ディスク２１のエッジ部がコーティング層１１に接触しなければ、コーティング層１１が削られることはなく、光ディスク回転方向Ｍの下流側に位置する対物レンズ１上面に削れかすが付着する恐れもない。またコーティング層１１の上面は、対物レンズ１の上面よりも光ディスク２１側に位置しているため、対物レンズ１と光ディスク２１が接触することはなく、対物レンズ１が傷つくことはない。
【００４８】
上記の構成により、対物レンズ駆動装置を搭載する光ピックアップが光ディスク２１の最内周位置から最外周位置まで移動する際の光ディスク２１と対物レンズ駆動装置とのあらゆる位置関係において、対物レンズ１と光ディスク２１との衝突を防止し、かつ対物レンズ１上面に削れかす等が付着することを避けることができる。
【００４９】
以上のことから、外乱やサーボ外れ等の影響により対物レンズ１が光ディスク２１に接近した場合においても、コーティング層１１と光ディスク２１とが接触することで対物レンズ１を保護することができ、また対物レンズ駆動装置が光ディスク２１の最外周部分に位置する場合であっても、光ディスク２１のエッジ部とコーティング層１１とが直接接触することがないため、光ディスク２１の全記録エリアに渡って、安定して記録・再生を行うことができる。
【００５０】
（実施形態２）
図４は、本発明の対物レンズ駆動装置の第２の実施形態におけるレンズホルダ要部の側面概略図である。本実施形態は、上記第１の実施形態のレンズホルダ２に設けた突起部１０ａ〜１０ｄの上面角部を緩やかな湾曲形状となるように構成し、その上面にコーティング層１１を塗布することによって湾曲部Ｒを形成したことを特徴としている。すなわち、光ディスクに対向するコーティング層１１の端縁部を湾曲状に形成する。本実施形態のその他の部分については、上記実施形態１と同様であるため、その繰り返しの説明は省略する。
【００５１】
例えば、コーティング層１１の全体が同時に光ディスク２１に接触することなく、光ディスク２１に対してコーティング層１１が傾きをもって接触した場合、突起部１０の上面端部に角部が形成された状態であれば、光ディスク２１への損傷が大きくなる可能性がある。しかし、上記角部に湾曲部Ｒを形成した本実施形態の構成であれば、光ディスク２１への損傷を緩和することができる。これにより、光ディスク２１の信号劣化を最小限に抑えることができる。
【００５２】
（実施形態３）
図５は、本発明による対物レンズ駆動装置の第３の実施形態を示す平面概略図で、図６は、図５の対物レンズ駆動装置を光ディスクとともに示す側面概略図である。
図５に示すように、本実施形態では、タンジェンシャル方向Ｇに対物レンズ１を挟んだ２ヶ所の突起部１０ａ，１０ｂと、トラッキング方向Ｔで対物レンズ１の外側（光ディスクの半径方向の外側）に位置した１カ所の突起部１０ｄとが設けられている。すなわち対物レンズ１に対してトラッキング方向Ｔに設けられた突起部１０ｄは、対物レンズ駆動装置が光ディスク２１のエッジ部に移動したときには、光ディスク２１のエッジより外側に位置する。
【００５３】
また本実施形態では、タンジェンシャル方向Ｇで対物レンズを挟むように配設された２ヶ所の突起部１０ａ，１０ｂの合計重量と、トラッキング方向Ｔで対物レンズ１の外側に配設された１ヶ所の突起部１０ｄの重量とが、同一になるように構成されている。また、各突起部１０ａ，１０ｂ，１０ｄの上面には、光ディスク２１よりも柔らかいコーティング層１１が塗布されている。
本実施形態のその他の部分については、上記実施形態１と同様であるため、その繰り返しの説明は省略する。
【００５４】
上記のように本実施形態では、レンズホルダ２が有する２ヶ所の突起部１０ａ，１０ｂの合計重量と、１ヶ所の突起部１０ｄの重量が同一となるように形成されているため、対物レンズ駆動装置の可動部の重心位置は、可動部の中心位置と一致し、重量バランスのとれた可動部を構成することができる。この構成をとることにより、フォーカス方向、及びトラッキング方向への安定した駆動が可能となる。
【００５５】
ここで、可動部の重心位置がその中心位置と一致しない場合、可動部に作用する力点の関係で、周波数特性上、位相の乱れが発生する。この位相の乱れの影響によって発振が発生する可能性があるが、本実施形態では、その発振の発生原因となる位相の乱れを抑制し、安定した周波数特性を実現することができる。加えて、重心位置に確実に力が作用することにより、駆動時のチルト変動を小さくすることができる。
【００５６】
また一般的には、対物レンズ駆動装置のフォーカス・トラッキング周波数特性を評価する際に、レーザードップラーを用いて対物レンズ１を含む可動部の動きを観測している。フォーカス周波数特性に関しては、上面から対物レンズ１の中心に向かって、測定用のレーザを照射することで周波数ごとの特性を評価しているが、トラッキング周波数特性に関しては、対物レンズ１に直接測定用のレーザを照射することが難しく、代わりに対物レンズ１付近のレンズホルダの一部にレーザを照射することで、間接的に評価を行っていた。
【００５７】
しかし実際には、光軸は対物レンズ１の中心を通るため、光軸の動きを観測するには、対物レンズ１に直接測定用のレーザを照射することが望ましい。対物レンズ１は、レンズホルダ２に対して、例えばＵＶ硬化性樹脂等で固定接着されており、対物レンズ１の動きとレンズホルダ２の動きは、樹脂を介する分、全く同じとは言えない。具体的には、レンズホルダ２の共振モードによる周波数や、その共振ピーク量に違いが生じる可能性があるが、この差異の程度によっては、システム的に発振の原因になる可能性もある。
【００５８】
図７及び図８は、本発明の対物レンズ駆動装置の第３の実施形態におけるフォーカス・トラッキング周波数特性評価を説明するための図で、図７は対物レンズ駆動装置の平面概略図、図８は図７の対物レンズ駆動装置の側面概略図である。図７及び図８において、Ｄは対物レンズ１の測定ポイントである。
【００５９】
本実施の形態の対物レンズ駆動装置によれば、トラッキング方向Ｔで対物レンズ１の内側（光ディスクの中心側）には突起部が形成されていないため、対物レンズ１の測定ポイントＤに向かって測定用のレーザを直接照射することができる。これにより、対物レンズ１の動き、すなわち、光軸の動きを直接観察することを可能とする。このような評価方法により、対物レンズ駆動装置の周波数特性を明確にすることができる。
【００６０】
また上記各実施形態１〜３の対物レンズ駆動装置を搭載する情報記録再生装置は、対物レンズ上面の付着物を防ぎ、かつ光ディスクの損傷による信号劣化を最小限に抑えることができるため、安定した記録・再生が可能となる。これにより、ユーザが記録したコンテンツが消去されることなく、半永久的に保存することができる。
【００６１】
なお、今回開示した上記実施の形態はすべての点で例示であって制限的なものではない。本発明の範囲は上記した説明ではなくて特許請求の範囲によって示され、特許請求の範囲と均等の意味及び範囲内でのすべての変更を含むものである。
【図面の簡単な説明】
【００６２】
【図１】本発明の対物レンズ駆動装置の一実施形態を示す平面概略図である。
【図２】図１の対物レンズ駆動装置を光ディスクとともに示す側面概略図である。
【図３】本発明の一実施形態において対物レンズと光ディスクとが互いに接近したときの位置関係を模式的に示す側断面図である。
【図４】本発明の対物レンズ駆動装置の第２の実施形態におけるレンズホルダ要部の側面概略図である。
【図５】本発明による対物レンズ駆動装置の第３の実施形態を示す平面概略図である。
【図６】図５の対物レンズ駆動装置を光ディスクとともに示す側面概略図である。
【図７】本発明の対物レンズ駆動装置の第３の実施形態におけるフォーカス・トラッキング周波数特性評価を説明するための図で、対物レンズ駆動装置の平面概略図である。
【図８】本発明の対物レンズ駆動装置の第３の実施形態におけるフォーカス・トラッキング周波数特性評価を説明するための図で、図７の対物レンズ駆動装置の側面概略図である。
【図９】特許文献１に示された対物レンズを保持するレンズホルダを示す図である。
【図１０】特許文献１に示されたレンズホルダの他の構成例を示す図である。
【図１１】対物レンズ駆動装置が光ディスクの最外周部周辺に位置したときの状態を説明するための図で、対物レンズと光ディスクとの位置関係を模式的に示す上面図である。
【図１２】対物レンズ駆動装置が光ディスクの最外周部周辺に位置したときの状態を説明するための図で、対物レンズと光ディスクとが互いに接近したときの位置関係を模式的に示す側断面図である。
【符号の説明】
【００６３】
１…対物レンズ、２…レンズホルダ、３…フォーカスコイル、４…トラッキングコイル、５…弾性支持部材、６…マグネット、７…ベース、８…ヨーク、１０ａ，１０ｂ，１０ｃ，１０ｄ…突起部、１１…コーティング層、１１ａ，１１ｂ…段差面、２１…光ディスク。
【図１】
2006331515.tif 000003
【図２】
2006331515.tif 000004
【図３】
2006331515.tif 000005
【図４】
2006331515.tif 000006
【図５】
2006331515.tif 000007
【図６】
2006331515.tif 000008
【図７】
2006331515.tif 000009
【図８】
2006331515.tif 000010
【図９】
2006331515.tif 000011
【図１０】
2006331515.tif 000012
【図１１】
2006331515.tif 000013
【図１２】
2006331515.tif 000014